(57)【要約】【課題】  最小限の数の後板で複数の製品のラインナップを可能とし、風量特性に優れた空気調和機を提供する。【解決手段】筐体２を構成する後板２ａに第１の後ドレンパン１８を一体に形成し、後ろ側の熱交換器の下端位置が高いときに、その結露水を受けるための第２の後ドレンパン１９を第1の後ドレンパン１８の上側に接続する。これにより、機種が異なっても共通の後板（キャビネット）を使用できる。また、リアガイダ１６を第１のリアガイダ１６ａと第２のリアガイダ（舌部）１６ｂとから構成する。第１のリアガイダ１６ａを第１の後ドレンパン１８と一体で形成するが、第２のリアガイダ（舌部）１６ｂは機種に応じて取り付ける。第２のリアガイダ（舌部）１６ｂは第２の後ドレンパン１９と一体に形成してもよい。【選択図】  図４
2008138929.tif 000002
【特許請求の範囲】
【請求項１】
室内ユニットの筐体が前面パネルと後板で構成され、該筐体に空気の吸込口と吹出口とが形成され、前記筐体内に、空気を送風する送風機と、該送風機を囲むように配された熱交換器と、後ろ側の熱交換器の結露水を受ける第１の後ドレンパンと、吹出口に至る空気通路を形成するために送風機に近接して配置されたスタビライザ及びリアガイダとを備えた空気調和機において、
前記第１の後ドレンパンと後板とが一体的に形成され、後ろ側の熱交換器の下端位置が第１の後ドレンパンよりも離れた位置にあるときに、その後ろ側の熱交換器の結露水を受けるための第２のドレンパンが、第１の後ドレンパンの上側に連結可能とされたことを特徴とする空気調和機。
【請求項２】
前記第２の後ドレンパンが第１の後ドレンパンの上部を覆うように、第１の後ドレンパンに載置されることを特徴とする請求項１に記載の空気調和機。
【請求項３】
前記リアガイダは、吹出口側の第１のリアガイダと、機種に応じて第１のリアガイダの空気通路上流側に連接する第２のリアガイダとを備え、第１のリアガイダが第１の後ドレンパンと一体に形成されたことを特徴とする請求項１に記載の空気調和機。
【請求項４】
前記第２のリアガイダが、第１のリアガイダおよび第１の後ドレンパンと別体で形成されたことを特徴とする請求項３に記載の空気調和機。
【請求項５】
前記第２のリアガイダが、第２の後ドレンパンと一体に形成されたことを特徴とする請求項３に記載の空気調和機。
【請求項６】
前記第１のリアガイダが、前記第１の後ドレンパンと一体に形成され、前記後板とは別体に形成されたことを特徴とする請求項２に記載の空気調和機。
【請求項７】
前ドレンパンと第１の後ドレンパンとが一体で形成されたことを特徴とする請求項１に記載の空気調和機。
【請求項８】
前記第１の後ドレンパンに貯留した結露水を前ドレンパンに導く流水路が後板に形成されたことを特徴とする請求項１に記載の空気調和機。
【請求項９】
前記第２の後ドレンパンに、第１の後ドレンパンへ結露水を導く排水口が形成されたことを特徴する請求項８に記載の空気調和機。
【請求項１０】
室内ユニットの筐体が前面パネルと後板で構成され、該筐体に空気の吸込口と吹出口とが形成され、前記筐体内に、空気を送風する送風機と、該送風機を囲むように配された熱交換器と、後ろ側の熱交換器の結露水を受ける第１の後ドレンパンと、吹出口に至る空気通路を形成するために送風機に近接して配置されたスタビライザ及びリアガイダとを備えた空気調和機において、
前記後板に第１の後ドレンパンが一体的に形成され、後ろ側の熱交換器の下端位置が第１の後ドレンパンよりも離れた位置にあるときに、その後ろ側の熱交換器の結露水を受けるための第２のドレンパンを第１の後ドレンパンの上側に連結することを特徴とする空気調和機の製造方法。
【発明の詳細な説明】
【技術分野】
【０００１】
本発明は、空気調和機に関し、特に逆Ｖ字型の熱交換器を備えた分離型の空気調和機の室内ユニットに関するものである。
【背景技術】
【０００２】
特許文献１には、室内ユニットに逆Ｖ字型の熱交換器を備え、後板（キャビネット）、送風機支持部、前ドレンパン、後ドレンパンを全て同時に一体成形し、送風機やノーズなどの送風系に対する組立て精度を向上させると共に熱膨張などによる騒音（ピシ音）を抑えることができる空気調和機の室内ユニットが提案されている。
【特許文献１】特許第３５７２２４９号公報
【発明の開示】
【発明が解決しようとする課題】
【０００３】
ここで、図６（ａ）（ｂ）（ｃ）に従来の空気調和機の室内ユニットを示す。通常、空気調和機の室内ユニットは、製品の格差付けのため冷暖房能力の異なる複数の機種を企画することが多く、外形寸法が異なる２〜３種類の筐体に対して、形状の異なる複数の熱交換器を組合せて複数の機種を企画することになる。
【０００４】
図６（ａ）は、筐体の一部を構成する後板１００（キャビネット）に後ドレンパン１０１、前ドレンパン１０２およびリアガイダ１０３を一体で形成し、送風機１０４を囲むように４つの熱交換器１０５ａ〜１０５ｄを逆Ｖ字形に配置し、さらに、その後ろ側に別の補助熱交換器１０５ｅを配置した例を示す。
【０００５】
図６（ｂ）は、送風機１０４を囲むように３つの熱交換器１０５ａ〜１０５ｃを配置した例を示す。この例では、後板１００と一体となった後ドレンパン１０１の形成位置が同図（ａ）と異なっている。
【０００６】
さらに、図６（ｃ）は、図６（ｂ）と同様に、送風機１０３を囲むように、３つの熱交換器１０５ａ〜１０５ｃを配置した例を示す。この例では、後ろ側の熱交換器１０５ｃを支持するために、熱交換器１０５ａと後ドレンパン１０１との間にスペーサ１０６を挿入している。
【０００７】
一般に、空気調和機において、形状の異なる複数の熱交換器を組合せて複数の機種を企画する場合、特許文献１の室内ユニットでは、機種に応じて複数のキャビネット（後板）の金型を製作する必要がある。例えば、図６（ａ）（ｂ）に示す室内ユニットでは、同図（ａ）に示す熱交換器１０５ｃと同図（ｂ）に示す熱交換器１０５ｄとでは、後ろ側の熱交換器の形状が異なる。そのため、後ドレンパンの位置やリアガイダの形状が異なることになり、製品の外形寸法が同じであっても、後板（キャビネット）は異なった形状にする必要がある。
【０００８】
このため、例えば、外形寸法が異なる２種類の製品に３種類の熱交換器を組み合わせて６種類の機種を企画する場合、６種類の後板（キャビネット）の金型を製作する必要が生じていた。
【０００９】
また、その改善策として、図６（ｃ）に示すように、スペーサ１０６を取付けて後板１００および後ドレンパン１０１を共通使用し、後板（キャビネット）１００の金型費用を抑える方策も考えられる。しかし、送風機１０４の背面側にはリアガイダ１０３が後板１００（キャビネット）と一体に設けられており、風量特性や騒音を最適にするため、リアガイダ１０３の形状も種々工夫するのが通常であるため、同じ後板１０５に異なる熱交換器を取り付ける場合、熱交換器の形状に応じてリアガイダ１０３の形状を調整することができなくなる。
【００１０】
また、特許文献１のような後板（キャビネット）では、その金型は、複数の部品を一体で形成しているので、大型で複雑な金型構造となり、その製作期間が長くなるとともに、また複雑なスライド構造などを多く含むため、金型の動作不良などのトラブルを生じやすく、さらには金型費用も非常に高価なものとなっていた。
【００１１】
本発明は、上記に鑑み、最小限の数の後板で複数の製品のラインナップを可能とし、風量特性に優れた空気調和機の提供を目的とする。
【課題を解決するための手段】
【００１２】
上記目的を達成するため、本発明は、室内ユニットの筐体が前面パネルと後板で構成され、該筐体に空気の吸込口と吹出口とが形成され、前記筐体内に、空気を送風する送風機と、該送風機を囲むように配された熱交換器と、後ろ側の熱交換器の結露水を受ける第１の後ドレンパンと、吹出口に至る空気通路を形成するために送風機に近接して配置されたスタビライザ及びリアガイダとを備えた空気調和機において、前記第１の後ドレンパンと後板とが一体的に形成され、後ろ側の熱交換器の下端位置が第１の後ドレンパンよりも離れた位置にあるときに、その後ろ側の熱交換器の結露水を受けるための第２のドレンパンが、第１の後ドレンパンの上側に連結可能とされたことを特徴とする。
【００１３】
上記構成によると、第１の後ドレンパンを一体的に形成した後板に熱交換器を設置するとき、後ろ側の熱交換器の形状により、その下端位置が第１の後ドレンパンよりも離れた位置にあるときに、その後ろ側の熱交換器の結露水を受けるための第２のドレンパンを第１の後ドレンパンの上側に連結するので、機種が異なっても共通の後板（キャビネット）を使用することができる。
【００１４】
この場合、第２の後ドレンパンは、第１の後ドレンパンの上部を覆うように、第１の後ドレンパンに載置される。これにより、熱交換器の形状に合わせて第２の後ドレンパンを設置することができる。
【００１５】
また、リアガイダは、吹出口側の第１のリアガイダと、機種に応じて第１のリアガイダの空気通路上流側に連接する第２のリアガイダとから構成され、第１のリアガイダが第１の後ドレンパンと一体に形成される。
【００１６】
上記構成によると、後板に第１のリアガイダと第１の後ドレンパンとを一体に形成するので、部品点数が少なくなる。また、機種に応じて第１のリアガイダに第２のリアガイダを接続するだけで、最適な風量特性や騒音対策にもなる。
【００１７】
第２のリアガイダを、第１のリアガイダおよび第１の後ドレンパンと別体で形成することもできる。これにより、機種に応じて第１のリアガイダに第２のリアガイダを接続するだけで、最適な風量特性や騒音対策にもなる。
【００１８】
また、第２のリアガイダを第２の後ドレンパンと一体に形成することもできる。これにより、機種に応じてドレンパンの位置を変更し、かつ最適な風量特性が得られる。
【００１９】
また、前ドレンパンと第１の後ドレンパンとを一体で形成することで、部品点数を少なくして組立て工数を低減することができる。
【００２０】
さらに、第１の後ドレンパンに貯留した結露水を前ドレンパンに導く流水路が後板に形成される。この流水路により、第１の後ドレンパンから前ドレンパンに結露水を流し、前ドレンパンからまとめて外部に排出することができる。
【００２１】
また、第２の後ドレンパンに、第１の後ドレンパンへ結露水を導く排水口を形成し、第２のドレンパンに溜まった結露水を排水口を通じて第１のドレンパンに流すことができる。
【発明の効果】
【００２２】
以上のとおり、本発明によれば、同じ後板（キャビネット）で異なる熱交換器を組合せた複数の機種を展開しても、それぞれの機種で最適な風量特性に得るとともに、発生するトータルの金型費用を最小限に抑えることが可能となる。
【発明を実施するための最良の形態】
【００２３】
本発明の実施形態を図１〜図５に示す。図１は空気調和機の室内ユニットの斜視図、同じく室内ユニットの側面断面図、図３はキャビネット（後板）と後ドレンパンの斜視図である。図４および図５は室内ユニットの筐体の側面断面図である。
【００２４】
室内ユニット１は、図２に示すように、箱状の筐体２の上面に空気の吸込口３が形成され、前面下部に吹出口４が形成される。筐体２の内部には、吸込口３から吹出口４に至る内部空気通路に熱交換器５と送風機６とが配設される。
【００２５】
筐体２は、前側に室内ユニットの主要部材である熱交換器５や送風機６を保持し、背面側で室内の壁面に取り付けられる板状の後板２ａと、背面が開放し後板２ａに嵌合される箱状の前面パネル２ｂとから構成される。
【００２６】
前面パネル２ｂには、その上面に吸込口３が形成され、前面下部に吹出口４が形成される。吹出口４には、縦ルーバ及び横ルーバからなる風向変更装置１２と、その前側に第１の軸１０周りに開閉回動自在に軸支された導風パネル７とが設けられる。
【００２７】
導風パネル７は、その開放姿勢で略水平方向に位置し、吹出口４から吹出す空気を略水平ないし斜め上方に飛ばすことができるようになっている。また、導風パネル７は、カバーパネル８と延長パネル９とに分割され、カバーパネル８が延長パネル９に対して第２の軸１１周りに開閉回動自在に軸支される。そして、カバーパネル８の開姿勢で吹出口４からの風を垂直下方に導くことができるようになっている。
【００２８】
熱交換器５は、送風機６を三方から囲むように逆Ｖ字形に配置される。熱交換器５は、機種に応じて複数の熱交換器が配置される。図４の例では、３つの熱交換器５ａ〜５ｃが前後および上側の三方から送風機６を囲むように逆Ｖ字形に配置され、さらに、後側の熱交換器５ｃの背面側には、一つの補助熱交換器５ｄが後ろ側熱交換器５ｃと平行に配置された形態となっている。
【００２９】
一方、図５に示す熱交換器５０では、４つの熱交換器５０ａ〜５０ｄが送風機６を囲むように配置され、その背面側にさらに補助熱交換器５０ｅが配置される。したがって、図４に示す熱交換器５と図５に示す熱交換器５０とでは、後ろ側の熱交換器の高さ位置が異なる。図４に示す後ろ側の熱交換器５ｃの下端部は、図５に示す後ろ側の熱交換器５０ｄに比べて、上方位置にある。そのため、図５に示す後ドレンパン１８をそのまま使用することはできない。この場合の対策は後述する。
【００３０】
各熱交換器５は、熱媒管と多数のフィンとから直方体形状に形成され、熱媒管の端部同士で他の熱交換器と接続され、冷凍サイクルの一部を構成するようになっている。
【００３１】
また、図２および図４において、後ろ側の熱交換器５ｃ、５ｄと前側の熱交換器５ａ、５ｂとの間に切換弁（不図示）を設け、除湿運転時には、後ろ側の熱交換器５ｃ、５ｂを凝縮器として使用し、前側の熱交換器５ａ，５ｂで湿気を除去した空気を、後ろ側熱交換器５ｃ、５ｄの排熱を利用して暖めて吹出口４から放出する再熱除湿もできるようになっている。
【００３２】
また、前側の熱交換器５ａの下方には、熱交換器５ａからの結露水を貯留する前ドレンパン１７が設けられる。また、後ろ側の熱交換器５ｃの下方には、熱交換器５ｃからの結露水を貯留する第１の後ドレンパン１８が設けられる。そして、前ドレンパン１７および第１の後ドレンパン１８は、その両端部の支持板２４によって一体的に形成される。
【００３３】
前ドレンパン１７および第１の後ドレンパン１８は、樋状に形成された公知構造のもので、その後端部が後板２ａの下端部と接合し、後板２ａと一体で形成される。ただ、後ドレンパン１８の内部には、後述する第２の後ドレンパン１９の裏面リブ２５を支持する受け部２８が形成される。
【００３４】
また、前ドレンパン１７の下面には送風機６に接近してスタビライザ１５が一体形成される。第１の後ドレンパン１８の前側には送風機６に接近してリアガイダ１６が形成される。そして、スタビライザ１５およびリアガイダ１６に挟まれて内部空気通路が形成される。
【００３５】
送風機６は、クロスフローファンであって、その回転軸の軸方向が左右方向とされる。送風機６は、内部空気通路において熱交換器５よりも吹出口４側に配置される。
【００３６】
リアガイダ１６は、吹出口側の第１のリアガイダ１６ａと、機種に応じて第１のリアガイダ１６ａの空気通路上流側に連接する第２のリアガイダ（舌部）１６ｂとから構成される。リアガイダ１６は、内部空気通路の送風方向に合わせて円弧状に形成される。
【００３７】
また、第１のリアガイダ１６ａは、第１の後ドレンパン１８と一体に形成される。つまり、後板２ａと、第１の後ドレンパン１８および第１のリアガイダ１６ａ、さらには前ドレンパン１７およびスタビライザ１５が一体的に成形される。
【００３８】
第１のリアガイダ１６ａの上端には、段差状の係合受け部２９が形成され、第２のリアガイダ（舌部）１６ｂの下端部３０を係合載置することができるようになっている。
【００３９】
さらに、第１の後ドレンパン１８の端部には排水口２１が形成される。第１の後ドレンパン１８は、図３で長手方向に排水口２１に向かって傾斜しており、この排水口２１から前ドレンパン１７に連通する流水路２０が支持板２４、つまり後板２ａと一体的に形成されている。この流水路２０は、第１の後ドレンパン１８に貯留した結露水を前ドレンパン１７に導く。
【００４０】
一方、機種に応じて取り付けられる第２のリアガイダ（舌部）１６ｂや第２の後ドレンパン１９が設けられる。図４では、第２のリアガイダ（舌部）１６ｂと第２の後ドレンパン１９とが一体化されたものを例示する。これの例では、第２の後ドレンパン１９の裏面に左右方向に間隔をおいて複数のリブ２５が形成されている。リブ２５の下端には係合凹部が形成され、この係合凹部が第１の後ドレンパン１８の内部に形成された突起２８と係合して、第１の後ドレンパン１８の上側に第２の後ドレンパン１９が載置される。
【００４１】
なお、第２の後ドレンパン１９は、図３で長手方向に排水部２２に向かって傾斜しており、第２の後ドレンパン１９の結露水は排水部２２より第１の後ドレンパン１８または流水路２０を経由して前ドレンパン１７に導かれる。
【００４２】
また、図５の例では、第２の後ドレンパン１９は必要ないが、第２のリアガイダ（舌部）１６ｂのみを製造し、第２のリアガイダ（舌部）１６ｂの下端部３０を第１のリアガイダ１６ａの上端係合受け部２９に係合載置している。
【００４３】
なお、支持板２４には、送風機６を回転駆動するモータ（不図示）を支持する支持部も一体に形成してもよい。
【００４４】
また、図２に示すように、筐体２の吸込口３には吸込んだ空気から塵埃を除去するフィルタ２６が配置される。また、フィルタ２６に付着した塵埃をフィルタ２６を移動させながら、ブラシと吸引手段により除去するフィルタ清掃装置２７が設けられている。
【００４５】
上記構成において、形状の異なる熱交換器を同じ形状の後板２ａに取り付ける例を図４及び図５に示す。図４は、３つの熱交換器５ａ〜５ｃが前後および上側の三方から送風機６を囲むように逆Ｖ字形に配置された例である。一方、図５は４つの熱交換器５０ａ〜５０ｄが送風機６を囲むように配置された例である。両者において、後ろ側の熱交換器５ｃと５０ｄとでは、図４の熱交換器の方が短い寸法に設定されている。したがって、図４の機種では、第２のリアガイダ（舌部）１６ｂおよび第２の後ドレンパン１９の一体成形品を第１の後ドレンパン１８の上側に取り付ける。
【００４６】
一方、図５に示す室内ユニット１では、後ろ側の熱交換器５０ｄの下端位置が下側であるため、第１の後ドレンパン１８上に熱交換器５０ｄを取り付ける。そして、別成形した第２のリアガイダ（舌部）１６ｂを第１のリアガイダ１６ａに取り付ける。
【００４７】
このように、第２のリアガイダ（舌部）１６ｂや第２の後ドレンパン１９を異ならせるだけで、後板２ａを共通使用することができる。しかも、第２のリアガイダ（舌部）１６ｂは、熱交換器の形状に応じた個別の形状に調整可能であり、それぞれの機種で最適な風量特性を得ることができる。さらに、図６（ｃ）に示すスペーサ１０６も使用する必要がない。
【００４８】
また、第２のリアガイダ（舌部）１６ｂや後ドレンパン１９は、後板２ａに比べるとかなり小さな金型で済むため、金型の製作期間も短く、金型費用も安価に抑えることができる。例えば、製品の外形寸法が２種類で熱交換器３種類を組合せて合計６種類の機種を企画する場合、従来では６種類の後板の金型が必要であったが、本発明では、製品の外形寸法に応じて２種類の後板（キャビネット）の金型と後ドレンパンまたはリアガイダの金型を追加するだけで済む。さらに、機種個別に熱交換器の形状に応じてリアガイダの形状を調整できるため、機種ごとに最適な風量特性を得ることができる。
【００４９】
さらに、後板２ａには、第１の後ドレンパン１８の結露水を前ドレンパン１７へ導く流水路２０が一体に形成されているので、第１の後ドレンパン１８から流水路２０を通して前ドレンパン１７に結露水を流すことができ、これらの結露水をまとめて外部に放出することができる。
【００５０】
また、第２の後ドレンパン１９には第１の後ドレンパン１８へ結露水を導く排水口２２が形成されているので、第２の後ドレンパン１９の結露水はその排水口２２を通して下方の第１の後ドレンパン１８へ流れ込み、さらに第１のドレンパン１８の排水口２１から流水路２０を通じて前ドレンパン１７へ流れ込み、室外へ排水処理される。
【００５１】
また、後板２ａには第１の後ドレンパン１８を一体に設けず、第２の後ドレンパンと第２のリアガイダ（舌部）１６ｂを一体にして、熱交換器ごとに対応する形状にすることもできる。この場合、第１の後ドレンパン１８を後板２ａに設けないので、後板２ａの金型構造がより簡略化でき、さらに、熱交換器に応じた最適な風量特性を得ることができる。
【００５２】
このように、熱交換器５，５０や後板２ａの組合せが異なる複数の機種においても、後ドレンパン１８又は１９で発生した結露水は、水はねなどすることなく、確実に前ドレンパン１７を通じて室外へ排水処理することができる。
【００５３】
なお、本発明は、上記実施形態に限定されるものではなく、本発明の範囲内で多くの修正変更を加えることができるのは勿論である。
【図面の簡単な説明】
【００５４】
【図１】本発明に係る空気調和機の室内ユニットの斜視図
【図２】室内ユニットの側面断面図
【図３】キャビネット（後板）と後ドレンパンの斜視図
【図４】室内ユニットの側面断面図
【図５】図４と異なる熱交換器を搭載した室内ユニットの側面断面図
【図６】（ａ）（ｂ）（ｃ）は従来の空気調和機の室内ユニットを示す側面断面図
【符号の説明】
【００５５】
１    室内ユニット
２    筐体
２ａ  後板（キャビネット）
２ｂ  前面パネル
３    吸込口
４    吹出口
５    熱交換器
６    送風機
７    導風パネル
８    カバーパネル
９    延長パネル
１０    第１の軸
１１    第２の軸
１５    スタビライザ
１６    リアガイダ
１６ａ  第１のリアガイダ
１６ｂ  第２のリアガイダ（舌部）
１７    前ドレンパン
１８    第１の後ドレンパン
１９    第２の後ドレンパン
２０    流水路
２４    支持板
２６    フィルタ
２７    フィルタ清掃装置
５０ａ〜５０ｄ    熱交換器
【図１】
2008138929.tif 000003
【図２】
2008138929.tif 000004
【図３】
2008138929.tif 000005
【図４】
2008138929.tif 000006
【図５】
2008138929.tif 000007
【図６】
2008138929.tif 000008